(57)【特許請求の範囲】
【請求項１】
枠体に左右開閉可能に嵌め込まれた網戸が下レールから外れるのを防止するようにした網戸外れ止め装置において、網戸の下框に板部材を折り曲げて収容部が形成される支持部材を取り付け、前記収容部には昇降体と係止板と軸部とから成る外れ止め部材を上下動可能に嵌合させ、網戸の下框に設けた孔の上方から挿通させた持上げ部材を前記昇降体に固着し、前記軸部に嵌め込んだ付勢部材によって昇降体を下方へ付勢させ、その昇降体の下部の室内側端部から下レールの室内側に位置するように設けた係止板の下端を枠体の下レールの底壁の上面に当接させ、下レールの全ての立ち上がり量を網戸の外れ止めのかかり代とし、網戸の枠体への取り付けや取り外しには、前記持上げ部材に形成されるつまみ部を付勢部材の付勢力に抗して持ち上げ、下レールの底壁の上面に当接している前記係止板の下端を網戸の下框の下端部の高さまで移動させた後、網戸の下框を前記係止板の下端が下レールの上端部より高くなる位置まで持ち上げて前記係止板と下レールのかかり代を無くすようにしたことを特徴とする網戸外れ止め装置。
【発明の詳細な説明】
【技術分野】
【０００１】
本発明は、網戸が下レールから外れるのを防止するようにした網戸の外れ止め装置に関する。
【背景技術】
【０００２】
従来、特許文献１に記載のように、網戸などの戸の下部に固定される支持部材に上下に移動するように取り付けられた外れ止め部材を圧縮コイルばねで下方に移動する方向に付勢して、外れ止め部材の下部に形成された断面半円状のみぞを窓枠の下部レールの上部に嵌め、外れ止め部材の溝が窓枠の下部レールから外れないようにすることによって網戸などの戸の外れを防止し、また、支持部材に、外れ止め部材を最上方位置に持ち上げた状態に保持する戸取外許容位置と外れ止め部材の持上げ状態を解除して外れ止め部材の下方移動を許容する戸取外禁止位置とに切り換え保持される切換部材を取り付け、網戸などの戸を窓枠に取り付けた後に切換部材を戸取外禁止位置に移動させて網戸などの戸を取り外すことができないようにし、網戸などの戸を取り外すときには切換部材を戸取外許容位置に移動させた後に網戸などの戸を持ち上げることにより窓枠から取り外すことができるようになっている外れ止め装置が提案されている。
【０００３】
【特許文献１】特開２００４−３４６６９４号公報
【発明の開示】
【発明が解決しようとする課題】
【０００４】
特許文献１に記載のものでは、下方へ付勢されている外れ止め部材の断面半円状の溝が窓枠の下部レールの上部に嵌まっているが、外れ止め部材と下部レールとのかかり代（溝を形成する外れ止め部材の下端高さと下部レールの上端高さの差である室内外方向からみた係合量）が小さいので、暴風や不注意等により網戸に枠見込方向の力が作用して網戸が撓んで下框が持ち上げられた場合や網戸に何らかの大きな衝撃が加わって下框が持ち上げられた場合に、外れ止め部材の下部に形成された断面半円状の溝が窓枠の下部レールから外れやすいという問題点がある。
そこで本発明の課題は、上記問題点を解決するもので、網戸の下框が比較的大きく持ち上げられた場合でも、網戸が下レールから外れるのを確実に防止できるようにした網戸外れ止め装置を提供することを目的とする。
【課題を解決するための手段】
【０００５】
本発明は、枠体に左右開閉可能に嵌め込まれた網戸が下レールから外れるのを防止するようにした網戸外れ止め装置において、網戸の下框に板部材を折り曲げて収容部が形成される支持部材を取り付け、前記収容部には昇降体と係止板と軸部とから成る外れ止め部材を上下動可能に嵌合させ、網戸の下框に設けた孔の上方から挿通させた持上げ部材を前記昇降体に固着し、前記軸部に嵌め込んだ付勢部材によって昇降体を下方へ付勢させ、その昇降体の下部の室内側端部から下レールの室内側に位置するように設けた係止板の下端を枠体の下レールの底壁の上面に当接させ、下レールの全ての立ち上がり量を網戸の外れ止めのかかり代とし、網戸の枠体への取り付けや取り外しには、前記持上げ部材に形成されるつまみ部を付勢部材の付勢力に抗して持ち上げ、下レールの底壁の上面に当接している前記係止板の下端を網戸の下框の下端部の高さまで移動させた後、網戸の下框を前記係止板の下端が下レールの上端部より高くなる位置まで持ち上げて前記係止板と下レールのかかり代を無くすようにしたことを特徴とする（請求項１）。
【発明の効果】
【０００６】
本発明における請求項１に記載の発明によれば、網戸の下框に板部材を折り曲げて収容部が形成される支持部材を取り付け、前記収容部には昇降体と係止板と軸部とから成る外れ止め部材を上下動可能に嵌合させ、網戸の下框に設けた孔の上方から挿通させた持上げ部材を前記昇降体に固着し、前記軸部に嵌め込んだ付勢部材によって昇降体を下方へ付勢させ、その昇降体の下部の室内側端部から下レールの室内側に位置するように設けた係止板の下端を枠体の下レールの底壁の上面に当接させ、下レールの全ての立ち上がり量を網戸の外れ止めのかかり代とし、網戸の枠体への取り付けや取り外しには、前記持上げ部材に形成されるつまみ部を付勢部材の付勢力に抗して持ち上げ、下レールの底壁の上面に当接している前記係止板の下端を網戸の下框の下端部の高さまで移動させた後、網戸の下框を前記係止板の下端が下レールの上端部より高くなる位置まで持ち上げて前記係止板と下レールのかかり代を無くすようにしたので、枠体の下枠の上面から下レールの上端部までの立上がり量の総てをかかり代にでき、暴風や不注意等により網戸に荷重が枠見込方向に作用して網戸が撓んだ場合でも、網戸を下レールから外れにくくできる効果がある。
【発明を実施するための最良の形態】
【０００８】
実施の形態について図面を参照して説明する。
図１に示す引違いサッシ１は、上枠２と下枠３と左右の竪枠４、５を枠組みして構成された枠体６に、網戸７と内障子４７と外障子４６が横引き可能に嵌め込まれて構成されている。網戸７は、上框８、下框９および左右の竪框１０、１１からなる方形状の網戸框１２と、この網戸框１２に張り付けられた網１３とを備えている。網戸７は、網戸７の上部に設けられた嵌合溝７ａと網戸７の下部に設けられた戸車７ｂが上枠２の室外側片１４（網戸７用上レール）と下枠３の下レール１５に夫々嵌合されて下レール１５に沿って左右開閉可能に設けられている。
【０００９】
網戸７の下框９の両端部には、枠体６に左右開閉可能に嵌め込んだ網戸７が下レール１５から外れるのを防止するようにした網戸外れ止め装置Ａが装着されている。網戸外れ止め装置Ａは、網戸７の下框９に固着される支持部材２１と、支持部材２１に対して上下動可能に設ける外れ止め部材２２と、外れ止め部材２２を下方に付勢して枠体６の下枠３の上面に当接させるように支持部材２１と外れ止め部材２２の間に備える付勢部材２３と、外れ止め部材２２に固着される持上げ部材２４を備えている。付勢部材２３は実施形態ではコイルバネを使用している。
【００１０】
支持部材２１は、板部材の左右の端部をコ字状となるように同一方向に折り曲げて形成され、その左右の側板３４、３５の間に収容部２７が形成されている。左右の側板３４、３５に取付部３０が夫々設けられ、取付部３０を網戸７の下框９の上壁２８に当接させて図示しないビスで固着してある。本実施形態の外れ止め部材２２は、収容部２７に上下動可能に嵌合されている直方体形状の昇降体３１と、その昇降体３１の下部の室内側端部から下レール１５の室内側に位置するように下向きに下レール１５の立上げ量よりも大きく張り出している薄板状の係止板２５と、昇降体３１の上部に立設されている小径の上部軸部２６ａと大径の下部軸部２６ｂと両者間の段部２６ｃからなる断面円状の軸部２６を備え、これらが樹脂で一体成型されている。なお、外れ止め部材２２は樹脂で一体成型するものに特定されるものでなく、幾つかの部品で形成されても良いし、金属などで形成されても良い。
【００１１】
外れ止め部材２２の軸部２６にはコイルバネ２３が嵌め込まれている。網戸７の下框９の上壁２８には外れ止め部材２２の大径の下部軸部２６ｂより径が小さく小径の上部軸部２６ａより径が大きい孔２９が設けられ、その孔２９には支持部材２１の収容部２７に収容された外れ止め部材２２の軸部２６の上部軸部２６ａが上下動可能に挿通されている。軸部２６に嵌め込まれたコイルバネ２３の上端は下框９の上壁２８の下面に、コイルバネ２３の下端は昇降体３１の上面に夫々当接され、これにより外れ止め部材２２が下方へ付勢され、係止板２５の下端が下レール１５の室内側の位置で下枠３の底壁３ａの上面に当接されている。持上げ部材２４は、板部材の上端側を折り曲げて軸部２６の上端面に近接または当接されている抜止部２４ｂが形成され、抜止部２４ｂに上方へ立上がるつまみ部２４ａが設けられている。持上げ部材２４は、網戸７の下框９の上壁２８に設けられた長方形の孔３３に上から挿通され、持上げ部材２４の下端側がビス３２で外れ止め部材２２の昇降体３１に固着されている。持上げ部材２４のつまみ部２４ａをコイルバネ２３のバネ力に抗して持ち上げたとき、外れ止め部材２２の下端部が下框９の下端部付近に持上げられた位置で、網戸７の下框９の上壁２８に設けられた孔２９より大きい径の下部軸部２６ｂ上端の段部２６ｃが上壁２８の下面に当接して下框９に対する外れ止め部材２２の持上げが止まるようになっている。
【００１２】
支持部材２１には、外れ止め部材２２の軸部２６が断面円状になっていることから、網戸７が枠体６から取り外されているときに外れ止め部材２２が網戸７の下框９に対して回転しないようにする役割もある。持上げ部材２４の抜止部２４ｂは、網戸７が枠体６から取り外されているときに外れ止め部材２２と持上げ部材２４が下方に抜け落ちないように下框９の上壁２８の上面に当接するようになっているが、軸部２６の上方を覆って美観を良くするカバー部としての機能も備えている。なお、本実施形態では、外れ止め部材２２の軸部２６は断面円状になっているが、例えば断面が四角形になっているものを使ってもよい。
【００１３】
次に上記構成の網戸外れ止め装置Ａの作用について説明する。網戸７を枠体６へ取り付けるときには、網戸７上部の嵌合溝７ａを上枠２の室外側片１４（上レール）に嵌合させた状態で、左右の持上げ部材２４のつまみ部２４ａを持ち上げることで外れ止め部材２２をバネ２３の付勢力に抗して持ち上げ、その外れ止め部材２２の持上げにより外れ止め部材２２の係止板２５の下端部が下框９の下端部の高さ付近に持上げられたときに外れ止め部材２２の軸部２６の段部２６ｃが下框９の上壁２８に当接し、その後の外れ止め部材２２の持上げによって下框９を外れ止め部材２２の下端部が下レール１５の上端部より高くなる位置迄持上げて外れ止め部材２２の係止板２５と下レール１５のかかり代Ｌを無くし、その状態で網戸７の下框９を下レール１５の上方へ移動させ、戸車７ｂを下レール１５上に載せて網戸７を枠体６へ取り付ける。そして、持上げ部材２４のつまみ部２４ａをはなすと、コイルバネ２３が外れ止め部材２２の係止板２５の下端部を下枠３の底壁３ａの上面に当接した状態になる。この状態では、網戸７が下レール１５から室外側へ外れようとする際の外れ止め部材２２と下レール１５のかかり代が図４にＬで示すように下レール１５の立上がり量の全体となり、きわめて大きな寸法となる。
【００１４】
従って、網戸７に室内外方向の何らかの大きな力が作用して網戸７が大きく撓んで下框９が持上げられたり、網戸７に上下方向の衝撃が加わって下框９が持上げられた場合でも、外れ止め部材２２を室内外方向において下レール１５と係合可能な状態に保持でき、網戸７が下レール１５から室外側へ外れるのを外れ止め部材２２と下レール１５の係合により確実に防止できる。また、網戸７を枠体６に取り付けた後、持上げ部材２４のつまみ部２４ａをはなすという単純な動作で網戸外れ止めの機能を持たせることができるので、特許文献１に記載のように外れ止め部材２２を網戸取外許容位置に持上げた状態に保持するための切換部材（持上保持手段）を必要とせず、網戸７を枠体６に取付けた後で切換部材（持上保持手段）を網戸取外許容位置から網戸取外禁止位置に戻す操作を忘れて網戸外れを生じる問題を無くすることができる利点を有する。
【００１５】
網戸７を枠体６から取り外すときには、枠体６へ取り付けるときと同じように左右の持上げ部材２４のつまみ部２４ａをバネ２３の付勢力に抗して持ち上げて網戸７を僅かに持上げ、外れ止め部材２２と下レール１５とのかかり代Ｌを無くした状態にすることで網戸７を枠体６から室外側へ容易に取外すことができる。なお、つまみ部２４ａを持って網戸７を最上部まで持ち上げたときに外れ止め部材２２の下端部が下レール１５の上端部よりも上まで上げることができるようにするために、図６に示すように持上げ部材２４と外れ止め部材２２以外の例えば竪框１０、１１を持って網戸７を最上部まで持ち上げた状態で、最下降端に位置される外れ止め部材２２を持上げ部材２４の持ち上げにより外れ止め部材２２の下端部が下レール１５の上端部より高くなるように持上げることができるように、軸部２６の段部２６ｃと下框９の上壁２８との距離Ｌ´を下レール１５の立上がり量よりも大きくなるように設けてある。
【００１６】
上記のように、外れ止め部材２２の下端部を下レール１５の室内側で下枠３の底壁３ａの上面に当接させているので、下枠３の底壁３ａの上面から下レール１５の上端部までの下レール１５の全ての立ち上がり量を外れ止め部材２２と下レール１５のかかり代Ｌにでき、外れ止めのためのかかり代を最大限にすることができる。よって、暴風や不注意等により網戸７に荷重が枠見込方向に作用して網戸７が撓んだ場合でも、かかり代Ｌが大きい分、網戸７を下レール１５から外れにくくできる。網戸７を枠体６へ取り付けた状態から持上げ部材２４と外れ止め部材２２以外を持って網戸７を最上部まで持ち上げても、外れ止め部材２２は軸部２６に嵌合されて昇降体３１と下框９の間に介在されているコイルバネ２３によって下方に付勢され、外れ止め部材２２の下端部が下枠３の底壁３ａの上面に当接し、外れ止め部材２２と下レール１５のかかり代Ｌが下レール１５の立上がり量の全体である大きな量に保たれる。本実施態様では、網戸外れ止め装置Ａを網戸７の下框９の両端部に装着したことによって、網戸７を左右開閉させるときに網戸７の左右両側を同じように枠体６から外れにくくすることができる。
【００１７】
なお、上記実施態様では、持上げ部材２４を持って網戸７の下部を持上げて網戸７を枠体６に着脱するようにしているが、持上げ部材２４を持上げ位置（網戸取外許容位置）に一時的に保持するための持上保持手段（切換部材）を設け、持上げ部材２４を持上保持手段で持上げ保持した状態で網戸７を竪框１０、１１を持って持上げて網戸７を枠体６に着脱するようにしても良い。持上保持手段としては、例えば、持上げ部材２４の抜止部２４ｂと下框９の上壁２８の間にストッパ部材を介在させたり、持上げ部材２４の側端面に設けた切欠部に上壁２８上に左右移動可能に配置したストッパ部材を係合させるもの等で良いが、網戸７を枠体６に装着した後で、持上保持手段の解除操作を忘れないようにする注意が必要である。
【図面の簡単な説明】
【００１８】
【図１】本発明の網戸外れ止め装置を備えた引違いサッシを示す図である。
【図２】図１のＩＩ−ＩＩ線断面図である。
【図３】網戸外れ止め装置の取付状態を示す図である。
【図４】網戸が最上部まで持ち上げられた状態を示す図である。
【図５】戸車が下レールに嵌合されている通常の状態での網戸外れ止め装置を拡大した図である。
【図６】網戸が最上部まで持ち上げられた状態での網戸外れ止め装置を拡大した図である。
【図７】図５のＩＩＩ−ＩＩＩ線断面図である。
【符号の説明】
【００１９】
３      下枠
６      枠体
７      網戸
１５    下レール
２１    支持部材
２２    外れ止め部材
２３    付勢部材
２４    持上げ部材
２４ａ  つまみ部
Ａ      網戸外れ止め装置
Ｌ      かかり代
【図１】
0005326249.tif 000002
【図２】
0005326249.tif 000003
【図３】
0005326249.tif 000004
【図４】
0005326249.tif 000005
【図５】
0005326249.tif 000006
【図６】
0005326249.tif 000007
【図７】
0005326249.tif 000008